(57)【要約】【課題】屋根梁の荷重を支持するにあたって、妻壁の開口幅をパターン化することによって種々の手間を省き、製造上及び施工上の合理化を図りうる屋根梁支持構造を提供する。【解決手段】本発明の屋根梁支持構造１は、屋根梁２上に支持された複数の垂木３の下方において２階床構造体３０上に間仕切壁１０及び妻壁２０がそれぞれ互いに対向して立設された構造である。間仕切壁１０及び妻壁２０のたて枠１１の間隔は、すべて同一のモジュールＭに設定されている。妻壁２０には、妻壁開口部２１が中央たて枠１２に対して線対称形状に形成されている。妻壁開口部２１の幅Ｗ０は、間仕切壁１０の間の距離ＷがモジュールＭの偶数倍である場合、モジュールＭの所定の偶数倍に設定され、間仕切壁１０の間の距離ＷがモジュールＭの奇数倍である場合、モジュールＭの所定の奇数倍に設定されている。【選択図】    図２
2004156240.tif 000002
【特許請求の範囲】
【請求項１】
屋根梁上に支持された複数の垂木の下方において階上の床構造体上に間仕切壁及び妻壁がそれぞれ互いに対向して立設され、
前記間仕切壁は、前記垂木をそれぞれ支持する支持柱が屋根梁方向に配列されてなり、
前記妻壁は、前記屋根梁の端部を支持する中央の支持柱及び前記垂木に直交して複数配列されたけらば垂木を支持する支持柱が屋根梁方向と直交する妻方向に配列されてなる屋根梁支持構造であって、
前記間仕切壁及び前記妻壁の前記支持柱の間隔は、すべて同一のモジュールに設定されており、
前記妻壁には、妻壁開口部が前記中央の支持柱に対して線対称形状に形成されており、
前記妻壁開口部の幅は、前記間仕切壁の間の距離が前記モジュールの偶数倍である場合、該モジュールの所定の偶数倍に設定され、前記間仕切壁の間の距離が前記モジュールの奇数倍である場合、該モジュールの所定の奇数倍に設定されていることを特徴とする屋根梁支持構造。
【請求項２】
前記モジュールは、４５５ｍｍに設定されており、
前記妻壁開口部の幅は、前記間仕切壁の間の距離が前記モジュールの偶数倍である場合、該モジュールの２倍又は４倍に設定され、前記間仕切壁の間の距離が前記モジュールの奇数倍である場合、該モジュールの３倍に設定されていることを特徴とする請求項１記載の屋根梁支持構造。
【請求項３】
前記床構造体は、床根太が、屋根梁方向又は妻方向に複数配列されてなり、
前記床根太の間隔は、すべて前記モジュールと同一に設定されていることを特徴とする請求項１又は２の何れか１項記載の屋根梁支持構造。
【請求項４】
前記床構造体は、前記床根太が前記妻壁と平行になる場合、前記妻壁の直下の部位に床梁が妻方向に延在して配設され、前記床根太が前記妻壁と直交する場合、前記屋根梁の荷重を受ける前記支持柱の直下の部位に床梁が屋根梁方向に延在して配設されていることを特徴とする請求項３記載の屋根梁支持構造。
【発明の詳細な説明】
【０００１】
【発明の属する技術分野】
本発明は、木造住宅の小屋裏利用３階建における屋根梁の荷重を支持する構造に関し、特に、妻壁に開口部を設けた際の屋根梁の荷重を支持する構造に関する。
【０００２】
【従来の技術】
従来より、３階建木造住宅においては、屋根裏と２階床上の間仕切壁及び妻壁とで囲まれた空間部分を小屋裏空間として利用することが行われており、近年、小屋裏をユニット化する技術が提案されている（特許文献１、２参照）。
【０００３】
ところで、屋根梁方式においては、屋根梁の荷重を受ける中央たて枠を階下まで通すと、妻壁に妻壁開口部を形成する際にその中央たて枠を避けて配置しなければならない。そのため、小屋裏空間を有効利用する観点から、妻壁開口部を妻壁の中央に配置する場合には、中央たて枠を短くした上で、屋根梁の荷重をその中央たて枠を介してまぐさで受けるようにしている。
【０００４】
他方、小屋組方式には、上記屋根梁方式のほか、トラス方式を変形した、いわゆるシーザストラス方式と称されるものがある。
このシーザストラス方式においては、対向する間仕切壁の間に、はさみ状に開いたトラス材を渡し、そのトラス材で屋根の荷重を受けるようにしており、トラス材の傾斜に基づく天井勾配が、垂木の傾斜に基づく屋根勾配より小さくなっている。
そして、小屋裏を施工するにあたって、天井高さの違いや小屋裏の平面形状及びその大きさの違いにより、屋根梁方式又はシーザストラス方式の何れかを選択するようにしている。
【０００５】
【特許文献１】
特開平６−７３７９７号公報
【特許文献２】
特開平６−３０７１０２号公報
【０００６】
【発明が解決しようとする課題】
しかしながら、このような従来の小屋組方式においては、以下のような問題があった。
すなわち、屋根梁方式にあっては、間仕切壁及び妻壁を構成する支持柱を２階の床根太や耐力壁等で受ける必要があるものの、妻壁開口部の幅と間仕切壁の間の距離との関係によっては、屋根梁の荷重をまぐさを介して受ける支持柱の直下の部位に床根太等が配置されないことがあり、この場合、別途床根太等を設けなけれならず手間がかかるという問題があった。
【０００７】
また、小屋組方式を選択する場合にあっては、屋根梁方式においては、屋根梁の荷重を主に妻壁で受けるようにしている一方で、シーザストラス方式においては、屋根梁の荷重を主に間仕切壁で受けるようにしているため、二つの方式の違いにより、製造段階では、間仕切壁と妻壁の構造を作り分けたり、施工段階では、異なった施工手順に従って別の作業を行うなどの手間がかかり、製造上及び施工上の合理化が望まれていた。
【０００８】
従って、本発明の目的は、屋根梁の荷重を支持するにあたって、単一の小屋組方式に従って妻壁の開口幅をパターン化することによって、小屋裏の妻壁開口部の幅と間仕切壁の間の距離との関係により別途床根太を設ける手間を省き、また、小屋組方式の違いにより間仕切壁と妻壁を作り分ける手間等を省き、製造上及び施工上の合理化を図りうる屋根梁支持構造を提供することにある。
【０００９】
【課題を解決するための手段】
本発明は、屋根梁上に支持された複数の垂木の下方において階上の床構造体上に間仕切壁及び妻壁がそれぞれ互いに対向して立設され、前記間仕切壁は、前記垂木をそれぞれ支持する支持柱が屋根梁方向に配列されてなり、前記妻壁は、前記屋根梁の端部を支持する中央の支持柱及び前記垂木に直交して複数配列されたけらば垂木を支持する支持柱が屋根梁方向と直交する妻方向に配列されてなる屋根梁支持構造であって、前記間仕切壁及び前記妻壁の前記支持柱の間隔は、すべて同一のモジュールに設定されており、前記妻壁には、妻壁開口部が前記中央の支持柱に対して線対称形状に形成されており、前記妻壁開口部の幅は、前記間仕切壁の間の距離が前記モジュールの偶数倍である場合、該モジュールの所定の偶数倍に設定され、前記間仕切壁の間の距離が前記モジュールの奇数倍である場合、該モジュールの所定の奇数倍に設定されていることを特徴とする屋根梁支持構造を提供することにより前記目的を達成したものである。
【００１０】
本発明によれば、妻壁開口部の幅についてモジュールの偶数倍又は奇数倍の何れかを選択するようにして開口幅をパターン化することにより、屋根梁の荷重を、常に、モジュールの整数倍の位置に落とすことができるため、種々の手間を省いて製造上及び施工上の合理化を図ることができる。
【００１１】
【発明の実施の形態】
以下本発明に係る屋根梁支持構造の好ましい一実施形態を図面を参照して説明する。
図１又は図２に示すように、本実施形態の屋根梁支持構造１は、屋根梁２上に支持された複数の垂木３の下方において２階床構造体（階上の床構造体）３０上に間仕切壁１０及び妻壁２０がそれぞれ互いに対向して立設された構造である。間仕切壁１０は、垂木３をそれぞれ支持するたて枠（支持柱）１１が屋根梁方向に配列されてなる。妻壁２０は、屋根梁２の端部を支持する中央たて枠（中央の支持柱）１２及び垂木３に直交して複数配列されたけらば垂木（図示せず）を支持するたて枠１１が屋根梁方向と直交する妻方向に配列されてなる。
間仕切壁１０及び妻壁２０のたて枠１１の間隔は、すべて同一のモジュールＭに設定されている。
妻壁２０には、妻壁開口部２１が中央たて枠１２に対して線対称形状に形成されている。
妻壁開口部２１の幅Ｗ０は、間仕切壁１０の間の距離ＷがモジュールＭの偶数倍である場合、モジュールＭの所定の偶数倍に設定され、間仕切壁１０の間の距離ＷがモジュールＭの奇数倍である場合、モジュールＭの所定の奇数倍に設定されている。
【００１２】
かかる屋根梁支持構造１は、屋根梁方式を応用した方式によるもので、以下、この屋根梁支持構造１を備えた小屋裏利用３階建の木造住宅を詳細に述べる。
【００１３】
垂木３は、寸法形式２０６の角材に、小屋裏を利用する部分につき寸法形式２１０の角材を合わせたものである。垂木３は、屋根梁２とその両側下部に配設された軒桁（図示せず）との間に、所定の屋根勾配で二等辺三角形状に架けられている。この軒桁は、２階床構造体３０の外枠の一部をなすものである。
【００１４】
垂木３の間隔は、モジュールＭの一単位として、４５５ｍｍに設定されている。このモジュールＭは、木造住宅の設計及び製造を基準化するための基本構成単位であり、以下の説明では、モジュールＭの整数倍を、適宜、１Ｍ、２Ｍ、３Ｍ等のように示す。
垂木３のスパン（屋根梁２と間仕切壁１０の水平距離）は、モジュールＭの５倍以下とし、小屋裏を利用する部分の奥行き（屋根梁２のスパン）は、モジュールＭの１０倍以下とされている。
【００１５】
間仕切壁１０は、頭つなぎ１３と下枠１４の間にたて枠１１が立設されてなる。たて枠１１は、頭つなぎ１３を介して垂木３の直下の部位に配置されている。これにより、たて枠１１の間隔は、モジュールＭの一単位に設定されることになる。
間仕切壁１０の２階床構造体３０における位置は、屋根地回り（軒桁）からの水平距離Ｄがモジュールの整数倍（３Ｍ、４Ｍ、５Ｍ、６Ｍ）に設定されている。
【００１６】
妻壁２０は、けらば垂木を受けた上枠又は頭つなぎ４（以下、単に「上枠４」とする）と下枠１４の間にたて枠１１が立設されてなる。たて枠１１（中央たて枠１２を含む）の間隔は、すべて、モジュールＭの一単位に設定されている。これにより、妻壁２０の幅、すなわち、間仕切壁１０の間の距離Ｗは、モジュールＭの整数倍（４Ｍ、５Ｍ、６Ｍ、７Ｍ、８Ｍ、９Ｍ、１０Ｍ）に設定されることになる。
【００１７】
妻壁開口部２１は、中央たて枠１２及びその両側のたて枠１１を受けるまぐさ１５と、そのまぐさ１５の端部を両側で受けるたて枠又はまぐさ受１１（以下、単に「たて枠１１」とする）とによって、中央たて枠１２に対して線対称な長方形状に画定される。なお、まぐさ１５を支持するたて枠１１には、補強材１６が取り付けられている。
【００１８】
図２又は図３に示すように、妻壁開口部２１の幅Ｗ０は、所定の基準に基づき開口幅を２０００ｍｍ以下にする等の条件を考慮して、間仕切壁１０の間の距離ＷがモジュールＭの偶数倍（４Ｍ、６Ｍ、８Ｍ、１０Ｍ）の場合、モジュールＭの２倍（２Ｍ＝９１０ｍｍ）又はモジュールＭの４倍（４Ｍ＝１８２０ｍｍ）に設定され、間仕切壁１０の間の距離ＷがモジュールＭの奇数倍（５Ｍ、７Ｍ、９Ｍ）の場合、モジュールＭの３倍（３Ｍ＝１３６５ｍｍ）に設定されている。
図２に示す例では、間仕切壁１０の間の距離Ｗが１０Ｍであるのに対し、妻壁開口部２１の幅Ｗ０が４Ｍである。図３に示す例では、間仕切壁１０の間の距離Ｗが９Ｍであるのに対し、妻壁開口部２１の幅Ｗ０が３Ｍである。
これにより、屋根梁２からの集中荷重は、中央たて枠１２、まぐさ１５を介して、モジュールＭの整数倍の位置にあるたて枠１１（補強材１６を含む）に分散されることになる。
【００１９】
図４に示すように、２階床構造体３０は、複数の外側耐力壁３１及びその間に立設された内側耐力壁３２の上部に配設されている。外側耐力壁３１の相互の間隔、及び外側耐力壁３１と内側耐力壁３２の間隔は、それぞれ、モジュールＭの整数倍に設定されている。
【００２０】
２階床構造３０は、格子状の床根太３３及び転び止め３４の上に床下地材３５が敷設されて構成される。
床根太３３は、屋根梁方向又は妻方向に複数配列されている。床根太３３の間隔は、モジュールＭの一単位に設定されている。
転び止め３４は、床根太３３の間で床根太方向と直交する方向に直列的に複数配列されている。転び止め３４の配列の間隔は、モジュールＭの一単位に設定されている。
これにより、間仕切壁１０及び妻壁２０は、床根太３３若しくは転び止め３４、又は内側耐力壁３２の何れかで受けられることになる。
【００２１】
ここに、間仕切壁１０又は妻壁２０が内側耐力壁３２とずれる場合には、間仕切壁１０及び妻壁２０の支持を補強する観点から、以下に示すように、パターン化された補強対策がなされる。垂木３の全荷重は、主に屋根梁２と軒桁で受けるようにしているため、間仕切壁１０よりも妻壁２０に大きくかかり、特に、妻壁２０側において、まぐさ１５を受けるたて枠１１（補強材１６を含む）の補強を強化している。
【００２２】
まず、図５（ａ）（ｂ）に示すように、間仕切壁１０が内側耐力壁３２とずれている場合、床根太３３が間仕切壁１０と直交するときは、転び止め３４との結合で十分であるが（図５（ｂ）参照）、床根太３３が間仕切壁１０と平行になるときは、間仕切壁１０の直下の部位に、床根太３３の代わりに床梁３６を屋根梁方向に通すようにする（図５（ａ）参照）。
【００２３】
次いで、図６（ａ）（ｂ）に示すように、妻壁２０が内側耐力壁３２とずれている場合、床根太３３が妻壁２０と平行になるときは、妻壁２０の直下の部位に、床根太３３の代わりに床梁３６を妻方向に通すようにし（図６（ａ）参照）、床根太３３が妻壁２０と直交するときは、屋根梁２の荷重をまぐさ１５を介して受けるたて枠１１の直下の部位に、床根太３３の代わりに床梁３６を屋根梁方向に通すようにしている。
【００２４】
以上述べたように本実施形態によれば、間仕切壁１０及び妻壁２０のたて枠１１の間隔をすべて同一のモジュールＭに設定した上で、妻壁開口部２１の幅についてモジュールＭの偶数倍又は奇数倍の何れかを選択するようにして開口幅Ｗ０をパターン化したことから、このような屋根梁方式を応用した単一の小屋組方式により、屋根梁２の荷重を、常に、妻壁２０の直下におけるモジュールＭの整数倍の位置に落とすことができるため、別途床根太３３を設けたり、小屋組方式の違いにより間仕切壁１０と妻壁２０を作り分けたりする等の手間を省いて製造上及び施工上の合理化を図ることができ、ひいては、垂木３やこの上に取り付けられる屋根パネルを共通化してさらなる合理化を図り、施工現場での作業性を向上させることができる。
【００２５】
特に、この場合において、モジュールＭの一単位を４５５ｍｍとし、妻壁開口部２１の幅Ｗ０を、間仕切壁１０の間の距離Ｗが偶数倍の場合は２Ｍ又は４Ｍとし、その距離Ｗが奇数倍の場合は３Ｍとしたことから、妻壁開口部２１に取り付けられるテラスドアやサッシ等の規格サイズを数種に選定できる点で有利である。
【００２６】
また、本実施形態によれば、開口幅Ｗ０をパターン化するとともに妻壁開口部２１を中央たて枠１２に対して線対称となるようしたことから、妻壁開口部２１を常に妻壁２０の中央に配置できるため、小屋裏空間を有効に利用することができる。
【００２７】
さらに、本実施形態によれば、２階床構造体３０の床根太３３の間隔を間仕切壁１０及び妻壁２０で用いたモジュールＭと同一にしたことから、屋根梁２の荷重を、まぐさ１５、たて枠１１を介して常に床根太３３で受けることができるため、屋根梁２の荷重を支持するにあたって、２階床構造体３０のパターン化を図ることができる。
【００２８】
特に、この場合において、床根太３３が妻壁２０と平行になるか、あるいは、直交するかによって、床梁３６を設ける位置を妻壁２０の直下の部位や屋根梁２の荷重を受けるたて枠１１の直下の部位に場合分けしたことから、２階床構造体３０の補強対策をパターン化することができる。
【００２９】
本発明は、上記第１、第２実施形態に限られることなく、種々の変更等を行うことができる。
例えば、モジュールＭの一単位を５００ｍｍとし、妻壁開口部２１の幅Ｗ０を、間仕切壁１０の間の距離Ｗが偶数倍の場合は２Ｍ又は４Ｍとし、その距離Ｗが奇数倍の場合は３Ｍとすることもできる。
【００３０】
【発明の効果】
本発明によれば、屋根梁の荷重を支持するにあたって、単一の小屋組方式に従って妻壁の開口幅をパターン化することによって、小屋裏の妻壁開口部の幅と間仕切壁の間の距離との関係により別途床根太を設ける手間を省き、また、小屋組方式の違いにより間仕切壁と妻壁を作り分ける手間等を省き、製造上及び施工上の合理化を図りうる屋根梁支持構造を得ることができる。
【図面の簡単な説明】
【図１】本実施形態の屋根梁支持構造の概略構成を示す斜視図である。
【図２】同屋根梁支持構造の妻壁開口部（偶数倍）を示す図である。
【図３】同屋根梁支持構造の妻壁開口部（奇数倍）を示す図である。
【図４】同屋根梁支持構造を備えた木造住宅の全体構成を示す断面図である。
【図５】（ａ）：同屋根梁支持構造の間仕切壁の階下での支持状態（床根太と平行）を示す図である。
（ｂ）：同屋根梁支持構造の間仕切壁の階下での支持状態（床根太と直交）を示す図である。
【図６】（ａ）：同屋根梁支持構造の妻壁の階下での支持状態（床根太と平行）を示す図である。
（ｂ）：同屋根梁支持構造の妻壁の階下での支持状態（床根太と直交）を示す図である。
【符号の説明】
２  屋根梁
３  垂木
４  上枠
１０  間仕切壁
１１  たて枠（支持柱）
１２  中央たて枠（中央の支持柱）
２０  妻壁
３０  ２階床構造体（階上の床構造体）
３３  床根太
３６  床梁
Ｍ  モジュール
Ｗ０  妻壁開口部の幅
Ｗ  間仕切壁の間の距離
【図１】
2004156240.tif 000003
【図２】
2004156240.tif 000004
【図３】
2004156240.tif 000005
【図４】
2004156240.tif 000006
【図５】
2004156240.tif 000007
【図６】
2004156240.tif 000008